(57)【要約】【課題】  部品点数を減少させ、静電気による誤動作発生を防ぐと共に、ディスクの所謂なだれ込み現象を解消すること。【解決手段】  主プリント基板４が筐体の底板部に一体突設した複数の脚杆２８ａ〜２８ｃ上に載置され、該主プリント基板４の３つの角部に貫設した挿通孔４ａ〜４ｃのうち、中央の挿通孔４ｂを脚杆２８ｂの上面に一体突設した係止ピン２９に嵌合させ、残りの対角線に沿って対向する一方の挿通孔４ａを通って脚杆２８ａのねじ孔３９ａにビス３０ａをねじ込むと共に、その他方の挿通孔４ｃに対向して押え杆４０が天板部１ａに一体突設されており、該押え杆４０の下面に突設した押えピン４１を他方の挿通孔４ｃを通って脚杆２８ｃの係止孔４２に嵌入させ、前記押え杆４０の下面と主プリント基板４との間にわずかな隙間ｍを形成している。【選択図】        図３
2006221684.tif 000002
【特許請求の範囲】
【請求項１】
天板部及び底板部と前面板部とにより矩形箱状の合成樹脂製筐体が形成され、該筐体内
に装置本体が天板部及び底板部の一方側壁に接近して配置されると共に、その筐体内の装
置本体の周辺にＡＶプリント基板と矩形板状の電子部品付き主プリント基板とが上下に所
定間隔をおいて配置され、その上側の主プリント基板に一端を接続したフレキシブルフラ
ットケーブルの他端が下側のＡＶプリント基板に接続され、前記主プリント基板が底板部
に一体突設した複数の脚杆上に載置され、該主プリント基板の３つの角部に貫設した挿通
孔のうち、中央の挿通孔を脚杆の上面に一体突設した係止ピンに嵌合させると共に、残り
の対角線に沿って対向する２つの挿通孔を通って各脚杆のねじ孔にビスをねじ込むことに
より、その主プリント基板が天板部及び底板部の他方側壁に接近して固定され、前記装置
本体が、ディスク載置用トレイを前後進可能に支持するメインシャーシと、該メインシャ
ーシに上下動可能に枢支されて光ピックアップ及びターンテーブルを搭載したドライブシ
ャーシとを有しており、ターンテーブルによりディスクを高速回転させ、該ディスクに記
録されている情報を光ピックアップで読み取るプレイモードからアンローディング信号に
基づいてドライブシャーシを下動させることにより、ターンテーブルからトレイにディス
クを受け渡した後、該トレイを前面板部のディスク取出口を通って前進させ、そのトレイ
からディスクを取り出し新たなディスクをトレイ上に載置し、電源オフによりドライブシ
ャーシを下動状態で停止させトレイを後進側に強制的に押し込んだときに、そのトレイが
筐体内に戻るように形成されたディスク装置において、前記２つのビスのうち、その一方
のビスを省略し、残りのビスを対角線に沿って対向する一方の挿通孔を通って脚杆のねじ
孔にねじ込むと共に、その他方の挿通孔に対向して押え杆が天板部に一体突設されており
、該押え杆の下面に突設した押えピンを他方の挿通孔を通って脚杆の係止孔に嵌入させ、
前記押え杆の下面と主プリント基板との間にわずかな隙間を形成し、前記主プリント基板
に対向して該主プリント基板よりも広幅の静電防止板が天板部及び底板部の他方側壁に接
近して天板部に垂設されると共に、該静電防止板の下端が主プリント基板の近傍まで延ば
され、筐体内に収納されているトレイの後部に接近して前記天板部に突起部が一体突設さ
れると共に、該突起部の下端がトレイの上面よりも下方に位置決めされていることを特徴
とするディスク装置。
【請求項２】
天板部及び底板部と前面板部とにより矩形箱状の合成樹脂製筐体が形成され、該筐体内
に装置本体が天板部及び底板部の一方側壁に接近して配置されると共に、その筐体内の装
置本体の周辺にＡＶプリント基板と矩形板状の電子部品付き主プリント基板とが上下に所
定間隔をおいて配置され、その上側の主プリント基板に一端を接続したフレキシブルフラ
ットケーブルの他端が下側のＡＶプリント基板に接続され、前記装置本体が、ディスク載
置用トレイを前後進可能に支持するメインシャーシと、該メインシャーシに上下動可能に
枢支されて光ピックアップ及びターンテーブルを搭載したドライブシャーシとを有してお
り、ターンテーブルによりディスクを高速回転させ、該ディスクに記録されている情報を
光ピックアップで読み取るプレイモードからアンローディング信号に基づいてドライブシ
ャーシを下動させることにより、ターンテーブルからトレイにディスクを受け渡した後、
該トレイを前面板部のディスク取出口を通って前進させ、そのトレイからディスクを取り
出し新たなディスクをトレイ上に載置し、電源オフによりドライブシャーシを下動状態で
停止させトレイを後進側に強制的に押し込んだときに、そのトレイが筐体内に戻るように
形成されたディスク装置において、前記主プリント基板が底板部に一体突設した複数の脚
杆上に載置され、該主プリント基板の３つの角部に貫設した挿通孔のうち、中央の挿通孔
を脚杆の上面に一体突設した係止ピンに嵌合させ、残りの対角線に沿って対向する一方の
挿通孔を通って脚杆のねじ孔にビスをねじ込むと共に、その他方の挿通孔に対向して押え
杆が天板部に一体突設され、該押え杆とそれに対向する脚杆とを他方の挿通孔を通って互
いに嵌合させたことを特徴とするディスク装置。
【請求項３】
前記押え杆の下面に押えピンが一体突設されると共に、それに対向して脚杆の上面に係
止孔が形成されており、押えピンを他方の挿通孔を通って脚杆の係止孔に嵌入させ、前記
押え杆の下面と主プリント基板との間にわずかな隙間を形成したことを特徴とする請求項
２に記載のディスク装置。
【請求項４】
前記押えピンの外周面が先すぼまりテーパ状に形成されており、そのテーパ状外周面を
他方の挿通孔の内周縁に接近または当接させるようにしたことを特徴とする請求項３に記
載のディスク装置。
【請求項５】
前記押え杆の下面に係止孔が形成されると共に、それに対向して脚杆の上面に係止ピン
が一体突設されており、その係止ピンを他方の挿通孔を通って押え杆の係止孔に嵌入させ
、前記押え杆の下面と主プリント基板との間にわずかな隙間を形成したことを特徴とする
請求項２に記載のディスク装置。
【請求項６】
前記主プリント基板に対向して該主プリント基板よりも広幅の静電防止板が天板部及び
底板部の他方側壁に接近して天板部に垂設されると共に、該静電防止板の下端が主プリン
ト基板の近傍まで延ばされていることを特徴とする請求項２〜５のいずれかに記載のディ
スク装置。
【請求項７】
前記筐体内に収納されているトレイの後部に接近して前記天板部に突起部が垂設される
と共に、該突起部の下端がトレイの上面よりも下方に位置決めされていることを特徴とす
る請求項２〜６のいずれかに記載のディスク装置。
【発明の詳細な説明】
【技術分野】
【０００１】
本発明は、例えばＤＶＤプレーヤなどのディスクの再生や記録または消去を行うための
ディスク装置に関し、特に、部品点数を減少させ、静電気による誤動作発生を防ぐと共に
、ディスクの所謂なだれ込み現象を解消するものである。
【背景技術】
【０００２】
従来、ＤＶＤプレーヤの技術として特許文献１などに記載したものがあり、その一例を
図９及び図１０に基づいて説明すると、これは、天板部１ａ及び底板部１ｂと前面板部１
ｃとにより矩形箱状の合成樹脂製筐体１が形成され、該筐体１内に装置本体２が天板部１
ａ及び底板部１ｂの一方側壁２６，２７（図１３参照）に接近して配置され、筐体１の装
置本体２の周辺に平面視略Ｌ字状のＡＶプリント基板３と矩形板状の電子部品Ａ付き主プ
リント基板４とが上下に所定間隔をおいて配置されている。
【０００３】
前記装置本体２は、ディスクＤ載置用トレイ７を前後進ａ，ｂ可能に支持するメインシ
ャーシ８と、該メインシャーシ８に枢支軸９を中心に上下動ｃ，ｄ可能に枢支されて光ピ
ックアップ１０及びターンテーブル１１付きスピンドルモータ１２を搭載したドライブシ
ャーシ１３とを有し、該ドライブシャーシ１３の前面に突設したカム軸１４がカムスライ
ダ１５のカム溝１５ａに嵌入され、該カムスライダ１５がメインシャーシ８に前後進ａ，
ｂとは直交する左右方向ｅ，ｆにスライド可能に配置されており、該カムスライダ１５を
左方向ｅ（または右方向ｆ）にスライドさせることにより、ドライブシャーシ１３を上下
動ｃ，ｄさせるように形成されている。また、前記ターンテーブル１１に対向する磁石付
きディスクホルダ１７がメインシャーシ８の両側壁部８ａ間に架設した横桁１８に一定範
囲内昇降可能に配置されている。なお、図９中、１９はトレイ７の中央部に形成したディ
スク収納凹部、２０はメインシャーシ８の両側壁部８ａからトレイ７の両側縁凹段部７ａ
の上方まで延びる浮き上がり防止片である。
【０００４】
動作原理を説明すると、図９の実線及び図１０（ａ）はプレイモードを示しており、ス
ピンドルモータ１２によりターンテーブル１１を介してディスクＤを高速回転させ、該デ
ィスクＤに記録されている情報を光ピックアップ１０で読み取り、モニターに映像を再生
する。
【０００５】
プレイモードからアンローディング信号が入力されると、図１０（ｂ）に示すように、
カムスライダ１５を左方向ｅ（または右方向ｆ）にスライドさせてドライブシャーシ１３
を下動ｄさせることにより、ターンテーブル１１からトレイ７にディスクＤを受け渡した
後、該トレイ７を前面板部１ｃのディスク取出口２１を通って前進ａさせ、そのトレイ７
からディスクＤを取り出し新たなディスクＤをトレイ７上に載置する。
【０００６】
続いて、ローディング信号が入力されると、図１０（ａ）に示すように、トレイ７を後
進ｂさせて筐体１内に収納した後、カムスライダ１５を右方向ｆ（または左方向ｅ）にス
ライドさせてドライブシャーシ１３を上動ｃさせることにより、トレイ７上のディスクＤ
をターンテーブル１１とディスクホルダ１７とで挟持する。
【０００７】
図１１に示すように、上側の主プリント基板４に一端を接続したフレキシブルフラット
ケーブル５ａ，５ｂの他端が下側のＡＶプリント基板３に接続され、図１２（ａ）に示す
ように、主プリント基板４が底板部１ｂに一体突設した複数の脚杆２８ａ〜２８ｃ上に載
置され、該主プリント基板４の３つの角部に貫設した挿通孔４ａ〜４ｃのうち、中央の挿
通孔４ｂを中央の脚杆２８ｂの上面に一体突設した係止ピン２９に嵌合させると共に、残
りの対角線Ｐ（図９参照）に沿って対向する２つの挿通孔４ａ，４ｃを通って各脚杆２８
ａ，２８ｃのねじ孔３９ａ，３９ｂにビス３０ａ，３０ｂをねじ込むことにより、その主
プリント基板４が天板部１ａ及び底板部１ｂの他方側壁３１，３２に接近して固定され（
図９参照）、ビス３０ａ，３０ｂを介してアース接続（グラウンド）されている。
【特許文献１】特開平６−２５１４７９号公報
【発明の開示】
【発明が解決しようとする課題】
【０００８】
上記構成では、主プリント基板４を固定するために２つのビス３０ａ，３０ｂを用いて
いるから、部品点数が多くて製作費が高くつくと共に、各ビス３０ａ，３０ｂをねじ込む
に手間がかかって面倒である。
【０００９】
そこで、図１２（ｂ）に示すように、前記２つのビス３０ａ，３０ｂのうち、その一方
のビス３０ｂを省略し、残りのビス３０ａを対角線Ｐに沿って対向する一方の挿通孔４ａ
を通って脚杆２８ａのねじ孔３９ａにねじ込むと共に、その他方の挿通孔４ｃに対向して
脚杆２８ｃの上面に係止ピン２９が一体突設され、該係止ピン２９を他方の挿通孔４ｃに
挿通することが考えられるが、これによれば、主プリント基板４が１つのビス３０ａで係
止されているだけであり、フレキシブルフラットケーブル５ａ，５ｂを撓ませることによ
り生じた上向きの付勢力Ｆ（図１１参照）で該主プリント基板４が所定幅ｋ（例えば２、
３ｍｍ）浮き上がるから〔図１２（ｂ）仮想線参照〕、プレイモード中の光ピックアップ
１０の往復移動やターンテーブル１１の高速回転により、その主プリント基板４が振動し
て、不快な騒音が生じるおそれがある。
【００１０】
静電試験の手順を説明すると、図９及び図１３に示すように、静電テスタ３３を筐体１
の外周に沿って移動させつつ静電気を起こし、その静電気によって装置本体２やＡＶプリ
ント基板３及び主プリント基板４の電子部品Ａが誤動作するか否かをチェックするが、こ
れでは、ディスク装置の小型化の要請に基づいて、主プリント基板４を他方側壁３１，３
２にわずかな隙間（例えば２、３ｍｍ程度）をおいて接近させているため、静電テスタ３
３により静電試験を行うと、静電気が他方側壁３１，３２間の隙間３４を通ってビス３０
ａや電子部品Ａにショートし、その電子部品Ａが誤動作したり破壊されるおそれがある。
【００１１】
また、図１４に実線で示すように、アンローディング信号に基づいてトレイ７を前進ａ
させた状態で電源オフにすると、ドライブシャーシ１３が下動ｄ状態のままで停止され、
この状態で、指部によりトレイ７を後進ｂ側に強制的に押し込んで、そのトレイ７を筐体
１内に戻すと、ターンテーブル１１が下がったままで、そのターンテーブル１１とディス
クホルダ１７とでトレイ７上のディスクＤが挟持されない。
【００１２】
上記のようにディスクＤを挟持していない状態で、図１４に仮想線で示すように、筐体
１を例えば別の場所に運ぶために傾けると、ディスク収納凹部１９内に収納されているデ
ィスクＤが後進ｂ側に離脱され、図９にイ位置で示すように、ディスクＤの後ろ半分がト
レイ７からはみ出るぐらいに外れて、所謂なだれ込み現象が生じる。
【００１３】
この状態から電源オンとし、アンローディング信号に基づいてトレイ７を前進ａさせる
と、ディスクＤが後方に取り残されて筐体１内に落ち込んだり、前進ａするトレイ７と横
桁１８とでディスクＤが挟まれるおそれがある。
【００１４】
本発明は、上記従来の欠点に鑑み、部品点数を減少させ、静電気による誤動作発生を防
ぐと共に、ディスクの所謂なだれ込み現象を解消したディスク装置を提供することを目的
としている。
【課題を解決するための手段】
【００１５】
上記目的を達成するため、請求項１に記載の発明は、天板部及び底板部と前面板部とに
より矩形箱状の合成樹脂製筐体が形成され、該筐体内に装置本体が天板部及び底板部の一
方側壁に接近して配置されると共に、その筐体内の装置本体の周辺にＡＶプリント基板と
矩形板状の電子部品付き主プリント基板とが上下に所定間隔をおいて配置され、その上側
の主プリント基板に一端を接続したフレキシブルフラットケーブルの他端が下側のＡＶプ
リント基板に接続され、前記主プリント基板が底板部に一体突設した複数の脚杆上に載置
され、該主プリント基板の３つの角部に貫設した挿通孔のうち、中央の挿通孔を脚杆の上
面に一体突設した係止ピンに嵌合させると共に、残りの対角線に沿って対向する２つの挿
通孔を通って各脚杆のねじ孔にビスをねじ込むことにより、その主プリント基板が天板部
及び底板部の他方側壁に接近して固定され、前記装置本体が、ディスク載置用トレイを前
後進可能に支持するメインシャーシと、該メインシャーシに上下動可能に枢支されて光ピ
ックアップ及びターンテーブルを搭載したドライブシャーシとを有しており、ターンテー
ブルによりディスクを高速回転させ、該ディスクに記録されている情報を光ピックアップ
で読み取るプレイモードからアンローディング信号に基づいてドライブシャーシを下動さ
せることにより、ターンテーブルからトレイにディスクを受け渡した後、該トレイを前面
板部のディスク取出口を通って前進させ、そのトレイからディスクを取り出し新たなディ
スクをトレイ上に載置し、電源オフによりドライブシャーシを下動状態で停止させトレイ
を後進側に強制的に押し込んだときに、そのトレイが筐体内に戻るように形成されたディ
スク装置において、前記２つのビスのうち、その一方のビスを省略し、残りのビスを対角
線に沿って対向する一方の挿通孔を通って脚杆のねじ孔にねじ込むと共に、その他方の挿
通孔に対向して押え杆が天板部に一体突設されており、該押え杆の下面に突設した押えピ
ンを他方の挿通孔を通って脚杆の係止孔に嵌入させ、前記押え杆の下面と主プリント基板
との間にわずかな隙間を形成し、前記主プリント基板に対向して該主プリント基板よりも
広幅の静電防止板が天板部及び底板部の他方側壁に接近して天板部に垂設されると共に、
該静電防止板の下端が主プリント基板の近傍まで延ばされ、筐体内に収納されているトレ
イの後部に接近して前記天板部に突起部が一体突設されると共に、該突起部の下端がトレ
イの上面よりも下方に位置決めされていることを特徴としている。
【００１６】
請求項２に記載の発明は、天板部及び底板部と前面板部とにより矩形箱状の合成樹脂製
筐体が形成され、該筐体内に装置本体が天板部及び底板部の一方側壁に接近して配置され
ると共に、その筐体内の装置本体の周辺にＡＶプリント基板と矩形板状の電子部品付き主
プリント基板とが上下に所定間隔をおいて配置され、その上側の主プリント基板に一端を
接続したフレキシブルフラットケーブルの他端が下側のＡＶプリント基板に接続され、前
記装置本体が、ディスク載置用トレイを前後進可能に支持するメインシャーシと、該メイ
ンシャーシに上下動可能に枢支されて光ピックアップ及びターンテーブルを搭載したドラ
イブシャーシとを有しており、ターンテーブルによりディスクを高速回転させ、該ディス
クに記録されている情報を光ピックアップで読み取るプレイモードからアンローディング
信号に基づいてドライブシャーシを下動させることにより、ターンテーブルからトレイに
ディスクを受け渡した後、該トレイを前面板部のディスク取出口を通って前進させ、その
トレイからディスクを取り出し新たなディスクをトレイ上に載置し、電源オフによりドラ
イブシャーシを下動状態で停止させトレイを後進側に強制的に押し込んだときに、そのト
レイが筐体内に戻るように形成されたディスク装置において、前記主プリント基板が底板
部に一体突設した複数の脚杆上に載置され、該主プリント基板の３つの角部に貫設した挿
通孔のうち、中央の挿通孔を脚杆の上面に一体突設した係止ピンに嵌合させ、残りの対角
線に沿って対向する一方の挿通孔を通って脚杆のねじ孔にビスをねじ込むと共に、その他
方の挿通孔に対向して押え杆が天板部に一体突設され、該押え杆とそれに対向する脚杆と
を他方の挿通孔を通って互いに嵌合させたことを特徴としている。
【００１７】
請求項３に記載の発明は、請求項２に記載の発明において、前記押え杆の下面に押えピ
ンが一体突設されると共に、それに対向して脚杆の上面に係止孔が形成されており、押え
ピンを他方の挿通孔を通って脚杆の係止孔に嵌入させ、前記押え杆の下面と主プリント基
板との間にわずかな隙間を形成したことを特徴としている。
【００１８】
請求項４に記載の発明は、請求項３に記載の発明において、前記押えピンの外周面が先
すぼまりテーパ状に形成されており、そのテーパ状外周面を他方の挿通孔の内周縁に接近
または当接させるようにしたことを特徴としている。
【００１９】
請求項５に記載の発明は、請求項２に記載の発明において、前記押え杆の下面に係止孔
が形成されると共に、それに対向して脚杆の上面に係止ピンが一体突設されており、その
係止ピンを他方の挿通孔を通って押え杆の係止孔に嵌入させ、前記押え杆の下面と主プリ
ント基板との間にわずかな隙間を形成したことを特徴としている。
【００２０】
請求項６に記載の発明、請求項２〜５のいずれかに記載の発明において、前記主プリン
ト基板に対向して該主プリント基板よりも広幅の静電防止板が天板部及び底板部の他方側
壁に接近して天板部に垂設されると共に、該静電防止板の下端が主プリント基板の近傍ま
で延ばされていることを特徴としている。
【００２１】
請求項７に記載の発明は、請求項２〜６のいずれかに記載の発明において、前記筐体内
に収納されているトレイの後部に接近して前記天板部に突起部が垂設されると共に、該突
起部の下端がトレイの上面よりも下方に位置決めされていることを特徴としている。
【発明の効果】
【００２２】
請求項１に記載の発明は第１の実施の形態（図１〜図３参照）に対応するものであって
、これによれば、１つのビスと天板部に一体突設した押えピン付き押え杆とで主プリント
基板を固定するようになっており、従来に比べて１つのビスを省略しているから、その省
略している分だけ部品点数を少なくして製作費を安くすることができる。また、押え杆の
下面と主プリント基板との間にわずかな隙間が形成されているので、落下試験により天板
部に衝撃力がかかっても、その衝撃力が前記隙間により吸収され、筐体が衝撃力で損傷さ
れたり破壊されるのを防ぐことができる。
【００２３】
更に、静電防止板により他方側壁間の隙間と主プリント基板とをつなぐ沿面距離が長く
なっているので、静電テスタにより静電試験を行っても、静電気が主プリント基板上の電
子部品にショートせず、その電子部品が誤動作したり破壊されるおそれがない。
【００２４】
しかも、筐体を例えば別の場所に運ぶために傾けることにより、トレイ上からディスク
が後進側に離脱しようとしても、トレイの後部に接近して筐体の天板部に突起部が垂設さ
れているので、該突起部の上を越えてディスクが後進側に離脱することがないし、その突
起部の下端がトレイの上面よりも下方に位置決めされているので、その突起部の下をくぐ
り抜けてディスクが後進側に離脱することもなく、所謂なだれ込み現象を確実に解消して
ディスクをトレイ上にとどめて置くことができ、そのディスクをトレイの前進により筐体
外にスムーズに取り出すことができる。
【００２５】
請求項２に記載の発明は基本形態に相当するものであって、１つのビスと天板部に一体
突設した押え杆及び脚杆とで主プリント基板を固定するようになっており、従来に比べて
１つのビスを省略しているから、その省略している分だけ部品点数を少なくして製作費を
安くすることができる。
【００２６】
請求項３に記載の発明によれば、押え杆の下面に一体突設した押えピンを他方の挿通孔
を通って脚杆の係止孔に嵌入させているから、主プリント基板を脚杆上に確実に固定する
ことができ、また、押え杆の下面と主プリント基板との間にわずかな隙間が形成されてい
るので、落下試験により天板部に衝撃力がかかっても、その衝撃力が前記隙間により吸収
され、筐体が衝撃力で損傷されたり破壊されるのを防ぐことができる。
【００２７】
請求項４に記載の発明によれば、押えピンのテーパ状外周面を他方の挿通孔に食い込む
ように嵌入させているから、主プリント基板を一層確実に固定することができる。
【００２８】
請求項５に記載の発明によれば、請求項３に記載の発明と同様の効果を得ることができ
る。
【００２９】
請求項６に記載の発明によれば、静電防止板により他方側壁間の隙間と主プリント基板
とをつなぐ沿面距離が長くなっているので、静電テスタにより静電試験を行っても、静電
気が主プリント基板上の電子部品にショートせず、その電子部品が誤動作したり破壊され
るおそれがない。
【００３０】
請求項７に記載の発明によれば、筐体を例えば別の場所に運ぶために傾けることにより
、トレイ上からディスクが後進側に離脱しようとしても、トレイの後部に接近して筐体の
天板部に突起部が垂設されているので、該突起部の上を越えてディスクが後進側に離脱す
ることがないし、その突起部の下端がトレイの上面よりも下方に位置決めされているので
、その突起部の下をくぐり抜けてディスクが後進側に離脱することもなく、所謂なだれ込
み現象を確実に解消してディスクをトレイ上にとどめて置くことができ、そのディスクを
トレイの前進により筐体外にスムーズに取り出すことができる。
【発明を実施するための最良の形態】
【００３１】
図１〜図３は本発明の第１の実施の形態であるＤＶＤプレーヤ（ディスク装置）を示す
ものであって、主プリント基板４が底板部１ｂに一体突設した複数の脚杆２８ａ〜２８ｃ
上に載置され、該主プリント基板４の３つの角部に貫設した挿通孔４ａ〜４ｃのうち、中
央の挿通孔４ｂを脚杆２８ｂの上面に一体突設した係止ピン２９に嵌合させ、残りの対角
線Ｐに沿って対向する一方の挿通孔４ａを通って脚杆２８ａのねじ孔３９ａにビス３０ａ
をねじ込むと共に、その他方の挿通孔４ｃに対向して押え杆４０が天板部１ａに一体突設
されており、該押え杆４０の下面に突設した押えピン４１を他方の挿通孔４ｃを通って脚
杆２２８ｃの係止孔４２に嵌入させ、押え杆４０の下面と主プリント基板４との間にわず
かな隙間ｍ（１ｍｍ程度）を形成している。上記以外の構成で図９〜図１４に示す構成と
同一部分に同一符号を付してその説明を省略する。
【００３２】
上記構成によれば、１つのビス３０ａと天板部１ａに一体突設した押えピン４１付き押
え杆４０とで主プリント基板４を固定するようになっており、従来に比べて１つのビス３
０ｂ〔図１２（ａ）参照〕を省略しているから、その省略している分だけ部品点数を少な
くして製作費を安くすることができる。また、落下試験により天板部１ａに衝撃力がかか
っても、その衝撃力が隙間ｍにより吸収され、筐体１が衝撃力で損傷されたり破壊される
のを防ぐことができる。
【００３３】
図１、図４及び図５に示すように、主プリント基板４に対向して該主プリント基板４の
幅Ｌ１よりも幅Ｌ２が広い静電防止板３６が他方側壁３１，３２に接近して天板部１ａに
垂設されると共に、該静電防止板３６の下端が主プリント基板４の近傍まで延ばされてい
る。
【００３４】
上記構成によれば、他方側壁３１，３２間の隙間３４からその他方側壁３１，３２と静
電防止板３６との間の細い通路３７を通って主プリント基板５に至る沿面距離が長くなっ
ているので、静電テスタにより静電試験を行っても、静電気が主プリント基板４上の電子
部品Ａにショートせず、その電子部品Ａが誤動作したり破壊されるおそれがない。
【００３５】
図１、図４及び図５に示すように、筐体１内に収納されているトレイ７の後部に接近し
て天板部１ａの下面に突起部２４ａ〜２４ｃが垂設されており、該各突起部２４ａ〜２４
ｃは、この実施の形態では、ディスク収納凹部１９から後進ｂ側に離脱するディスクＤの
外周縁ロ（図１参照）に沿って左右方向ｅ，ｆに所定間隔をおいて３本設けられており、
その中央の突起部２４ｂは、トレイ７の後端縁中央部に接近してその後方に位置決めされ
、その左右両突起部２４ａ，２４ｃは、トレイ７の両側縁凹段部７ａの上方に位置決めさ
れており、その各突起部２４ａ〜２４ｃの下端がトレイの上面７ｂよりも所定間隔βをお
いて下方に位置決めされている。
【００３６】
動作原理は図９〜図１４に示す従来例とほぼおなじであるから、その説明を省略する。
そして、図６に示すように、電源オフによりドライブシャーシ１３を下動ｄ状態で停止さ
せ、指部によりトレイ７を後進ｂ側に強制的に押し込むことにより、ターンテーブル１１
とディスクホルダ１７とでトレイ７上のディスクＤが挟持されていないときに、筐体１を
例えば別の場所に運ぶために傾けると、図７（ａ）に示すように、ディスク収納凹部１９
内に収納されているディスクＤが後進ｂ側に離脱されるが、トレイ７の後部に接近して天
板部１ａの下面に突起部２４ａ〜２４ｃが垂設されているので、該突起部２４ａ〜２４ｃ
の上を越えてディスクＤが後進ｂ側に離脱することがないし、その突起部２４ａ〜２４ｃ
の下端がトレイ７の上面７ｂよりも下方に位置決めされているので、その突起部２４ａ〜
２４ｃの下をくぐり抜けてディスクＤが後進ｂ側に離脱することもなく、所謂なだれ込み
現象を確実に解消してディスクＤをトレイ７上にとどめて置くことができ、図７（ｂ）に
示すように、アンローディング信号に基づいてトレイ７を前進ａさせたときに、該トレイ
７の上面７ｂと横桁１８との間の間隔αがディスクＤの厚さ以上に充分に大きく確保され
ているので、そのディスクＤをトレイ７の前進ａにより筐体１外にスムーズに取り出すこ
とができる。
【００３７】
また、突起部２４ａ〜２４ｃが合成樹脂により形成されているので、その突起部２４ａ
〜２４ｃと装置本体２内の電子部品との間で電気的にショートするおそれがない。
【００３８】
上記構成では、３本の突起部２４ａ〜２４ｃを突設したが、その左右両突起部２４ａ，
２４ｃを削除し、その中央の突起部２４ｂだけを残すようにしてもよい。
【００３９】
図８（ａ）は本発明の第２の実施の形態であるＤＶＤプレーヤ（ディスク装置）を示す
ものであって、押えピン４１の外周面４１ａが先すぼまりテーパ状に形成されており、そ
のテーパ状外周面４１ａを他方の挿通孔４ｃの内周縁に接近または当接させるようにした
。上記以外の構成は第１の実施の形態（図１〜図７参照）とほぼ同じであるから、同一部
分に同一符号を付してその説明を省略する。
【００４０】
上記構成によれば、押えピン４１のテーパ状外周面４１ａを他方の挿通孔４ｃに食い込
むように嵌入させているから、主プリント基板４を一層確実に固定することができる。
【００４１】
図８（ｂ）は本発明の第３の実施の形態であるＤＶＤプレーヤ（ディスク装置）を示す
ものであって、押え杆４０の下面に係止孔４２が形成されると共に、それに対向して脚杆
２８ｃの上面に係止ピン２９が一体突設されており、その係止ピン２９を他方の挿通孔４
ｃを通って押え杆４０の係止孔４２に嵌入させ、押え杆４０の下面と主プリント基板４と
の間にわずかな隙間ｍを形成した。上記以外の構成は第１の実施の形態（図１〜図７参照
）とほぼ同じであるから、同一部分に同一符号を付してその説明を省略する。これによれ
ば、第１の実施の形態とほぼ同じ効果を得ることができる。
【産業上の利用可能性】
【００４２】
上記の実施の一形態では、再生専用のＤＶＤプレーヤを例にあげて説明したが、これに
限定されるわけではなく、例えば再生や録画または消去を行うＤＶＤレコーダなどの各種
のディスク装置にも適用される。
【図面の簡単な説明】
【００４３】
【図１】本発明の第１の実施の形態であるディスク装置の水平断面図である。
【図２】同縦断面図である。
【図３】同要部の拡大縦断面図である。
【図４】同横断面図である。
【図５】同要部の斜視図である。
【図６】同ディスク離脱阻止状態を示す縦断面図である。
【図７】（ａ）は同離脱阻止作用の前半を示す要部の拡大縦断面図、（ｂ）は同離脱阻止作用の後半を示す要部の拡大縦断面図である。
【図８】（ａ）は本発明の第２の実施の形態であるディスク装置の要部を示す拡大縦断面図、（ｂ）は本発明の第３の実施の形態であるディスク装置の要部を示す拡大縦断面図である。
【図９】従来の一例を示す水平断面図である。
【図１０】（ａ）はプレイモードを示す縦断面図、（ｂ）はアンローディング状態の縦断面図である。
【図１１】同縦断面図である。
【図１２】（ａ）は要部の拡大縦断面図、（ｂ）は従来の他の例を示す要部の拡大縦断面図である。
【図１３】同横断面図である。
【図１４】同ディスク離脱阻止状態を示す縦断面図である。
【符号の説明】
【００４４】
１                      筐体
１ａ                    筐体の天板部
１ｂ                    筐体の底板部
１ｃ                    筐体の前面板部
２                      装置本体
３                      ＡＶプリント基板
４                      主プリント基板
４ａ〜４ｃ              挿通孔
５ａ，５ｂ              フレキシブルフラットケーブル
７                      トレイ
７ｂ                    トレイの上面
８                      メインシャーシ
１０                    光ピックアップ
１１                    ターンテーブル
１３                    ドライブシャーシ
２４ａ〜２４ｃ          突起部
２６，２７              天板部及び底板部の一方側壁
２８ａ〜２８ｃ          脚杆
２９                    係止ピン
３０ａ，３０ｂ          ビス
３１，３２              天板部及び底板部の他方側壁
３６                    静電防止板
３９ａ，３９ｂ          ねじ孔
４０                    押え杆
４１                    押えピン
４２                    係止孔
Ｄ                      ディスク
Ｐ                      対角線
ｍ                      隙間
ａ，ｂ                  前後進
ｃ，ｄ                  上下動
【図１】
2006221684.tif 000003
【図２】
2006221684.tif 000004
【図３】
2006221684.tif 000005
【図４】
2006221684.tif 000006
【図５】
2006221684.tif 000007
【図６】
2006221684.tif 000008
【図７】
2006221684.tif 000009
【図８】
2006221684.tif 000010
【図９】
2006221684.tif 000011
【図１０】
2006221684.tif 000012
【図１１】
2006221684.tif 000013
【図１２】
2006221684.tif 000014
【図１３】
2006221684.tif 000015
【図１４】
2006221684.tif 000016